(57)【要約】【課題】  ボトル容器において、容器本体部を把持し易く、滑り落としにくくし、該容器本体部の把持しての取扱い性を向上すること。【解決手段】  ボトル容器１０であって、正面部３１の側から視て、左右の各側面部３３、３４は、容器本体部２０の内容物収容部２０Ａの側に向けてくびれているくびれ部４０を有し、容器本体部２０の周方向で、左右の各側面部３３、３４の側から正面部３１及び背面部３２の側にかかる範囲に、容器本体部２０の高さ方向における中央部を挟んで上下方向に延びる面取り部５０を有し、この面取り部５０に多数個の凹凸部６０が設けられるもの。【選択図】  図１
2018039543.tif 000002
【特許請求の範囲】
【請求項１】
内容物を収容する内容物収容部を構成する容器本体部に、内容物を注出するための注出口部を有するボトル容器であって、
容器本体部は、該容器本体部を片手で把持する際に、第１指が接する正面部と、正面部と相対するように設けられ、他の指が接する背面部と、正面部と背面部とをつなぐように設けられる左右の側面部とを有し、
正面部の側から視て、左右の各側面部は、容器本体部の内容物収容部の側に向けてくびれているくびれ部を有し、
容器本体部の周方向で、左右の各側面部の側から正面部及び背面部の側にかかる範囲に、容器本体部の高さ方向における中央部を挟んで上下方向に延びる面取り部を有し、この面取り部に多数個の凹凸部が設けられるボトル容器。
【請求項２】
前記面取り部に設けられる各凹凸部が、容器本体部の周方向に長く、容器本体部の高さ方向に短い長細状をなす請求項１に記載のボトル容器。
【請求項３】
前記面取り部が、正面部及び背面部の側から左右の各側面部の側に向けて下り勾配をなす複数条のスリットを有する請求項１又は２に記載のボトル容器。
【請求項４】
前記面取り部において、容器本体部の周方向に沿う長さを最大とする最大面取り部位が、容器本体部の高さ方向に沿う全高さの半分の高さ位置より下方側に配置される請求項１乃至３のいずれかに記載のボトル容器。
【発明の詳細な説明】
【技術分野】
【０００１】
本発明は、ボトル容器に係り、特に容器本体部を把持しての取扱い性を向上できるボトル容器に関する。
【背景技術】
【０００２】
従来、内容物を収容する容器本体部と、容器本体部の上面に設けられて内容物を注出するための注出口部を有するボトル容器として、例えば特許文献１乃至３に記載のものがある。
【０００３】
特許文献１に記載のボトル容器は、容器本体部の把持部となる陥没部の表面に、凹凸模様を形成したものであり、容器本体部を握り損ねて落下させることを防止しようとしたものである。
【０００４】
特許文献２に記載のボトル容器は、容器本体部の把持部となる凹部の表面に、補強リブを成形したものであり、把持力が作用する凹部の機械的強度を補強リブによって高めるとともに、補強リブの滑り止め効果によって容器本体部の持ち易さも向上させようとしたものである。
【０００５】
特許文献３に記載のボトル容器は、容器本体部の平らな側面に山形のリブを上下方向に多数配列したものであり、プラスチックボトルに内容物を充填、密封した後の内部減圧による該プラスチックボトルの不定変形の防止等を図ったものである。
【先行技術文献】
【特許文献】
【０００６】
【特許文献１】特開平6-135444号公報
【特許文献２】実開昭61-62808号公報
【特許文献３】実開平4-3910号公報
【発明の概要】
【発明が解決しようとする課題】
【０００７】
特許文献１、２に記載のボトル容器は、容器本体部を把持する手指の把持位置が、容器本体部に定めた陥没部又は凹部に限定される。従って、使用者は、ボトル容器の取扱いに際して容器本体部を把持するときに、その取扱いに応じて適切となる把持位置を手指によって把持できず、把持しての取扱い性を損ねるおそれがある。例えば、上記ボトル容器がスクイズ容器の場合に、手指によって把持される陥没部又は凹部が必ずしもスクイズ操作部（押圧部）として適当でなく、スクイズ操作性を損なうおそれがある。
【０００８】
特許文献３に記載のボトル容器は、容器本体部の平らな側面にリブを設けたものであり、容器本体部を把持する手指は該リブに必ずしも密着できない。従って、このようなリブを用いて容器本体部を安定的に把持することはできず、把持しての取扱い性を向上することには困難がある。
【０００９】
本発明の課題は、ボトル容器において、容器本体部を把持し易く、滑り落としにくくし、該容器本体部の把持しての取扱い性を向上することにある。
【課題を解決するための手段】
【００１０】
請求項１に係る発明は、内容物を収容する内容物収容部を構成する容器本体部に、内容物を注出するための注出口部を有するボトル容器であって、容器本体部は、該容器本体部を片手で把持する際に、第１指が接する正面部と、正面部と相対するように設けられ、他の指が接する背面部と、正面部と背面部とをつなぐように設けられる左右の側面部とを有し、正面部の側から視て、左右の各側面部は、容器本体部の内容物収容部の側に向けてくびれているくびれ部を有し、容器本体部の周方向で、左右の各側面部の側から正面部及び背面部の側にかかる範囲に、容器本体部の高さ方向における中央部を挟んで上下方向に延びる面取り部を有し、この面取り部に多数個の凹凸部が設けられるようにしたものである。
【発明の効果】
【００１１】
本発明によれば、ボトル容器において、容器本体部を把持し易く、滑り落としにくくし、該容器本体部の把持しての取扱い性を向上することができる。
【図面の簡単な説明】
【００１２】
【図１】図１はボトル容器の一実施形態を示す斜視図である。
【図２】図２はボトル容器を示し、（Ａ）は平面図、（Ｂ）は高さ方向中間部の断面図、（Ｃ）は底面図である。
【図３】図３は図１のIII部を拡大して示す模式図である。
【図４】図４は図３のIV-IV線に沿う模式断面図である。
【図５】図５はキャップを設けたボトル容器を示し、（Ａ）は正面図、（Ｂ）は側面図である。
【図６】図６はボトル容器の把持状態を示す正面図である。
【図７】図７は図６のVII-VIIに沿う断面図である。
【図８】図８はボトル容器の中心軸を含んだ模式断面図である。
【発明を実施するための形態】
【００１３】
図１乃至図８に示すボトル容器１０は、内容物を収容する内容物収容部２０Ａを構成する容器本体部２０に、内容物を注出するための注出口部２４を有する。ボトル容器１０は、容器本体部２０を把持しての取扱い性を考慮したものである。
【００１４】
本実施形態において、ボトル容器１０は、容器本体２０の全体をプラスチックの成形体により構成したスクイズ容器とされている（但し、本発明のボトル容器は、スクイズ容器であることを必須としない）。
【００１５】
ボトル容器１０は、容器本体部２０を底面部２１と胴部２２と肩部２３と注出口部２４とからなるものとし、底面部２１と胴部２２と肩部２３によって前述の内容物収容部２０Ａを構成する。容器本体部２０は、底面部２１を下側にしたときに、胴部２２を底面部２１から上方に延在させ、胴部２２の上部に設けられる肩部２３の上端部に注出口部２４を設けている。
【００１６】
容器本体部２０の胴部２２は、容器本体部２０を片手（図６、図７の場合は右手）で把持する際に、第１指が接する正面部３１と、正面部３１と相対するように設けられ、他の指が接する背面部３２と、正面部３１と背面部３２をつなぐように設けられる左右の側面部３３、３４とを有する。容器本体部２０の高さ方向（正立状態にある容器本体部２０の鉛直方向）に沿う各位置で、容器本体部２０の重心位置Ｇを通る中心軸Ｃ（図５、図８）に直交する胴部２２の横断面形状は、図２に示す如く、手で胴部２２を把持したときの手の形に準じた形状となるように、正面部３１と背面部３２を幅広で外方に凸をなす大曲率半径の曲面状（平坦状でも可）とし、両側面部３３、３４を幅狭で平坦状（外方に凸をなす、平坦状に近い曲面状でも可）としている。
【００１７】
尚、本明細書で、左右上下とは、ボトル容器１０における容器本体部２０の底面部２１を水平面上に置いた正立状態で視て、正面部３１の側を正面とし、その左側を左、右側を右、上方側を上、下方側を下という。
【００１８】
また、本明細書では、親指を第１指とし、以下、人差し指を第２指、中指を第３指、薬指を第４指、小指を第５指とする。
【００１９】
ボトル容器１０は、化粧剤、洗剤、薬剤等の各種内容物を内容物収容部２０Ａに収容できる。本実施形態のボトル容器１０では、シャンプー、トリートメント等の頭部に塗布する液剤を内容物収容部２０Ａに収容するものとし、図５に示す如く、容器本体部２０の注出口部２４に頭部塗布用のキャップ２５を取付けできる。
【００２０】
本実施形態のボトル容器１０を用いて液剤を頭部に塗布する方法は、バスルーム等の床面上に置かれていて正立状態にある容器本体部２０を手指で把持した後、該容器本体部２０をそのまま持ち上げつつ、概ね１８０度反転して倒立状態にし、容器本体部２０の注出口部２４に取付けられているキャップ２５の先端部を頭部に接触させて押付ける。その状態で、容器本体部２０の胴部２２を手指で押圧してスクイズ変形させ、キャップ２５の先端部に設けられていて適宜の手段によって開口状態にある液剤吐出孔より、内容物収容部２０Ａ内の液剤を頭部に向けて吐出させる。その後、容器本体部２０を正立状態に戻し、バスルーム等の床面上に置き戻す。
【００２１】
しかるに、ボトル容器１０にあっては、バスルーム等において水等で濡れた容器本体部２０を把持して上述の如くに持ち上げ、反転する取扱い時に、該容器本体部２０を把持し易く、滑り落としにくくし、該容器本体部２０の把持しての取扱い性を向上するため、以下の構成を具備する。
【００２２】
ボトル容器１０は、正面部３１の側から視て、左右の各側面部３３、３４が、容器本体部２０の内容物収容部２０Ａの側に向けてくびれているくびれ部４０を有する。くびれ部４０は、図５に示す如く、容器本体部２０の高さ方向における中央部Ａを最大くびれ部位４０Ａとし、上下方向に延在する（図５）。
【００２３】
くびれ部４０は、図１、図５に示す如く、最大くびれ部位４０Ａを含む上下の小範囲を大曲率半径の湾曲部４１とし、湾曲部４１の下側範囲を底面部２１寄りに向けて徐々に直線状に広がる下向き広がり部４２とし、湾曲部４１の上側範囲を肩部２３寄りに向けて徐々に直線状に広がる上向き広がり部４３としている。本実施形態において、くびれ部４０の最大くびれ部位４０Ａは、容器本体部２０の高さ方向に沿う底面部２１から肩部２３までの全高さＨの半分の高さ位置Ｂ（内容物のない容器本体部２０の重心位置Ｇ（図５、図８）の高さ位置に略一致する）より、下方側に配置される。
【００２４】
ボトル容器１０は、容器本体部２０における胴部２２の周方向（正立状態にある容器本体部２０の水平方向に沿う方向）で、左右の各側面部３３、３４の側から正面部３１及び背面部３２の側にかかる範囲に、面取り部５０を有する。
【００２５】
尚、ボトル容器１０において、正面部３１及び背面部３２と左右の側面部３３、３４との境界は必ずしも明確でなく、面取り部５０は少なくとも正面部３１、背面部３２に設けられるものであれば良い。本実施形態において、側面部３３、３４に設けられる面取り部の量は、正面部３１、背面部３２に設けられる面取り部の量に比して小さい。
【００２６】
ボトル容器１０は、図２（Ｂ）に示す如く、左側面部３３の側から正面部３１の側にかかる範囲に設けられた面取り部５１と、左側面部３３の側から背面部３２の側にかかる範囲に設けられた面取り部５２と、右側面部３４の側から正面部３１の側にかかる範囲に設けられた面取り部５３と、右側面部３４の側から背面部３２の側にかかる範囲に設けられた面取り部５４の４つの面取り部５０を有する。
【００２７】
面取り部５０は、図５に示す如く、容器本体部２０の高さ方向における中央部Ａを挟んで、くびれ部４０の延在方向に沿うように上下方向に延在する。面取り部５０は、容器本体部２０における胴部２２の周方向に沿う長さを最大とする最大面取り部位５０Ａを、容器本体部２０の高さ方向に沿う全高さＨの半分の高さ位置Ｂ（容器本体部２０の重心位置Ｇの高さ位置に略一致する）より下方側に配置している。
【００２８】
面取り部５０は、最大面取り部位５０Ａの下側範囲を、容器本体部２０における胴部２２の周方向に沿う長さが底面部２１寄りに向けて徐々に狭くされて三角形状をなす下三角状部５０Ｌとし、最大面取り部位５０Ａの上側範囲を、容器本体部２０における胴部２２の周方向に沿う長さが肩部２３寄りに向けて徐々に狭くされて三角形状をなす上三角状部５０Ｕとしている。
【００２９】
尚、本実施形態のボトル容器１０では、面取り部５０の最大面取り部位５０Ａの高さ位置（Ａ）が、くびれ部４０の最大くびれ部位４０Ａの高さ位置（Ａ）と合致するものになっているが、本発明において両者の高さ位置は必ずしも合致することを必要としない。
【００３０】
面取り部５０は、図１、図３、図４に示す如く、容器本体部２０を把持した手指に滑り止め効果を及ぼす多数個の凹凸部６０を備える。凹凸部６０は、凸部からなるもの、凹部からなるもの、又は凹部と凸部の混在からなるもののいずれかを採用できる。
【００３１】
凹凸部６０は、本実施形態では、高い滑り止め効果を確保するため、面取り部５０の表面に高さＪにて突設された凸部６１からなるものとした（図４）。凸部６１は、平面視（図３）で、例えば円形状、三角形状、四角形状、多角形状等のいずれの形状をなすものでも良いが、本実施形態では正立状態にある容器本体部２０の周方向に長く（長さＫ）、容器本体部２０の高さ方向に短い（長さＬ）長細状をなすものとしている（図３、図４）。尚、凸部６１の上面角部は手指のキズ付きを防止するＣ面取りが施される。
【００３２】
凹凸部６０（凸部６１）における上述のＪ、Ｋ、Ｌの好適値は以下の通りである。
Ｊ：0.2〜0.6mmが好ましく、本実施形態では0.4mmとした。
Ｋ：2〜6mmが好ましく、本実施形態では4mmとした。
Ｌ：0.5〜2mmが好ましく、本実施形態では1.1mmとした。
【００３３】
面取り部５０は、正立状態にある容器本体部２０において、正面部３１及び背面部３２の側から左右の各側面部３３、３４の側に向けて下り勾配をなし、容器本体部２０の表面に付着した水を逃がす複数条のスリット７０を該面取り部５０の表面に凹設して備える。スリット７０は、直線状でも曲線状でも良いが、高い排水効果を確保するためには、直線状とすることが好ましい。即ち、本実施形態において、各スリット７０は、正立状態にある容器本体部２０の周方向（図３のＲ方向）に対して角度θで斜交して直線状に延在する上述の下り勾配をなし、溝深さをＤ、溝幅Ｅとする直線状四角断面溝７１からなるものとした。溝７１は、四角断面溝に限らず、三角断面溝等からなるものでも良い。尚、面取り部５０の表面に交差する溝７１の上端角部は手指のキズ付きを防止するＣ面取りが施される。
【００３４】
本実施形態では、面取り部５０において相隣る上述のスリット７０、７０の間に、複数個の凹凸部６０（凸部６１）が斜め方向に沿って一列をなすように配置されるものとしている。
【００３５】
スリット７０(溝７１)における上述のＤ、Ｅの好適値は以下の通りである。
Ｄ：0.2〜0.4mmが好ましく、本実施形態では0.3mmとした。
Ｅ：0.6〜0.8mmが好ましく、本実施形態では0.7mmとした。
【００３６】
尚、ボトル容器１０にあっては、容器本体部２０の胴部２２における少なくとも一方の側面部３３、３４に、当該ボトル容器１０が例えばシャンプー容器又はボディソープ容器のいずれであるかを識別するための触覚記号８０（図５）を設けることもできる。
【００３７】
本実施形態のボトル容器１０によれば、以下の作用効果を奏する。
(a)左右の各側面部３３、３４がくびれ部４０を有することにより、使用者が図６、図７に示す如くに容器本体部２０における胴部２２の周囲を握るようにして把持する際に、手の平が自然に左右一方の側面部３３（又は３４）のくびれ部４０の位置に誘導される。従って、容器本体部２０の内容物を注出するために、容器本体部２０を把持して傾け操作したり、ボトル容器がスクイズ容器である場合に容器本体部２０をスクイズ操作（押圧操作）する等の取扱いに際し、容器本体部２０においてそれらの取扱いに適切となる正面部３１と背面部３２の適宜位置に、第１指と他の指を自然に誘導できる。即ち、容器本体部２０を自然で安定した姿勢にて容易に把持でき、ボトル容器を把持しての取扱い性を向上できる。
【００３８】
(b)容器本体部２０における胴部２２の周方向で、左右の各側面部３３、３４の側から正面部３１及び背面部３２の側にかかる範囲に、面取り部５０を有する。これにより、例えば図６、図７において、第１指の腹部と指先部が正面部３１に接し、又は小隙間を介して沿い、第１指の手の平との付け根部が左右一方の側面部３４の側から正面部３１の側にかけて設けられた面取り部５３に接し、又は小隙間を介して沿うものになり（図７のａ部）、他の指の手の平との各付け根部が左右一方の側面部３４の側から背面部３２の側にかけて設けられた面取り部５４に接し、又は小隙間を介して沿うものになり（図７のｂ部）、他の指の腹部が背面部３２に接し、又は小隙間を介して沿うものになり、他の指の各指先部が左右他方の側面部３３の側から背面部３２の側にかけて設けられた面取り部５２に接するものになる（図７のｃ部）。従って、第１指の付け根部乃至指先部、手の平、及び他の指の各付け根部乃至各指先部からなる手指の全体が、容器本体部２０における胴部２２の周囲に密着し易くなり、手指によって容器本体部２０を安定的に把持できる。
【００３９】
(c)面取り部５０は、図５、図６に示す如く、容器本体部２０の高さ方向における中央部Ａ（容器本体部２０自体の重心位置Ｇ）を挟む上下方向の一定長さ範囲に設けられる。
【００４０】
従って、容器本体部２０を上述(a)、(b)の如くに把持し、該容器本体部２０を傾け操作して内容物を注出するに際し、容器本体部２０に収容された内容物が少なくなっても、容器本体部２０自体の重心位置Ｇ近くを把持して該容器本体部２０を傾け操作するものであり、傾け操作性ひいては内容物の注出操作性を向上できる。
【００４１】
(d)面取り部５０に、図３、図４に示す如く、多数個の凹凸部６０が設けられる。手指の上述(b)による容器本体部２０の把持に対し、第１指の手の平との付け根部、他の指の手の平との各付け根部、及び他の指の各指先部が接する各面取り部５０（図７の各面取り部５３、５４、５２）は、それらの凹凸部６０に基づく高い滑り止め効果を発現し、手指の容器本体部２０に対する把持安定性を向上する。
【００４２】
尚、ボトル容器の側面部３３、３４に、当該ボトル容器が例えばシャンプー容器又はボディソープ容器のいずれであるかを識別するための触覚記号８０を設けている場合には、上記凹凸部６０を触覚記号８０から一定範囲離して設ける必要がある。
【００４３】
(e)面取り部５０に設けられる各凹凸部６０が、図３、図４に示す如く、容器本体部２０における胴部２２の周方向に長く、容器本体部２０の高さ方向に短い長細状をなす。これにより、容器本体部２０における胴部２２の周囲を上述(d)の如くに把持した手指で該容器本体部２０を上下方向に持ち上げるときに、容器本体部２０における胴部２２の周方向に長い長細状凹凸部６０は、該手指の各部（第１指の手の平との付け根部、他の指の手の平との各付け根部、及び他の指の各指先部）に対し、大きな係止力（摩擦力）を及ぼす。従って、上述(d)の凹凸部６０による滑り止め効果を一層確実に発現し、容器本体部２０に対する把持安定性を一層向上する。
【００４４】
(f)面取り部５０が、図３、図４に示す如く、正面部３１及び背面部３２の側から左右の各側面部３３、３４の側に向けて下り勾配をなす複数条のスリット７０を有する。ボトル容器がバスルーム等で用いられ、容器本体部２０の表面に手指の滑りの元となる水気が付着したとき、この水気を複数条のスリット７０の溝内に納めて手指に触れにくくし、更には該スリット７０の下り勾配に沿って容器外に逃がすことができる。従って、面取り部５０は、スリット７０に基づく滑り止め効果も発現し、手指の容器本体部２０に対する把持安定性を向上する。
【００４５】
(g)面取り部５０において、図５、図６に示す如く、容器本体部２０における胴部２２の周方向に沿う長さを最大とする最大面取り部位５０Ａが、容器本体部２０の高さ方向に沿う全高さＨの半分の高さ位置Ｂより下方側に配置される。従って、ボトル容器がスクイズ容器である場合に、容器本体部２０を上述(a)、(b)の如くに把持し、該容器本体部２０をスクイズ操作するに際し、容器本体部２０においてスクイズ変形し易い正面部３１と背面部３２の各中央部Ａ付近に第１指と、第２指及び第３指を配置するものになり（図６のｄ部）、スクイズ操作性を向上できる。
【００４６】
尚、本実施形態のボトル容器１０にあっては、図８に示す如く、容器本体部２０の重心位置Ｇと底面部２１の外周輪郭部Ｐとを結んだ直線Ｆが、容器本体部２０の重心位置Ｇを通る中心軸Ｃに対してなす角度を14.48度とし、バスルーム等の床面上に正立されたボトル容器１０を転倒しにくいものとしている。
【産業上の利用可能性】
【００４７】
本発明によれば、ボトル容器において、容器本体部を把持し易く、滑り落としにくくし、該容器本体部の把持しての取扱い性を向上することができる。
【符号の説明】
【００４８】
１０  ボトル容器
２０  容器本体部
２０Ａ  内容物収容部
２１  底面部
２２  胴部
２３  肩部
２４  注出口部
３１  正面部
３２  背面部
３３、３４  側面部
４０  くびれ部
５０、５１〜５４  面取り部
５０Ａ  最大面取り部位
６０  凹凸部
６１  凸部
７０  スリット
７１  溝
【図１】
2018039543.tif 000003
【図２】
2018039543.tif 000004
【図３】
2018039543.tif 000005
【図４】
2018039543.tif 000006
【図５】
2018039543.tif 000007
【図６】
2018039543.tif 000008
【図７】
2018039543.tif 000009
【図８】
2018039543.tif 000010